(57)【要約】【課題】メッシュ構成のＦＷＡにおいて、パケットの伝送ルート内で突発的にパケット損失が発生した場合にも、通信品質の低下を抑えることを可能とする。【解決手段】ＦＷＡ装置１は、送信したい情報のパケットを誤り訂正符号化し、予め記憶された伝送ルートのリストから、パスの重なりのない複数の伝送ルートを選択し、選択された伝送ルートへのパケットの割り当て配分を演算し、算出したパケットの割り当て配分に従ってパケットを分割し、分割パケット毎に、分割パケットの伝送ルート情報と、分割パケットに共通のＩＤ番号と、組み立て順序番号とを付加し、各分割パケットに付加された伝送ルート情報に基づき、それぞれの伝送ルート上に送信する。ＦＷＡ装置１は、分割パケットを受信すると、受信した分割パケットのうち、ＩＤ番号が同じ分割パケットを組み立て順序番号に基づいて組み立て、誤り訂正符号を用いて復号する。【選択図】図３
2006238144.tif 000002
【特許請求の範囲】
【請求項１】
情報の送信元から送信先まで複数の伝送ルートを有する固定無線アクセスシステムにおけるＦＷＡ装置であって、
送信したい情報のパケットを作成するパケット作成手段と、
前記パケット作成手段により作成されたパケットに誤り訂正符号を付加して誤り訂正符号化する誤り訂正符号化手段と、
前記誤り訂正符号化されたパケットを分割するパケット分割手段と、
前記パケット分割手段により分割された分割パケットを前記複数の伝送ルート上に送信するパケット送信手段と、
複数の伝送ルートで送信された分割パケットを受信するパケット受信手段と、
前記パケット受信手段により受信された分割パケットを組み立て、誤り訂正符号を用いて復号する復号手段とを備える
ことを特徴とするＦＷＡ装置。
【請求項２】
請求項１に記載のＦＷＡ装置において、
前記復号手段による復号結果に基づいて、前記パケット受信手段が受信した分割パケットにパケット損失が発生したかを判断するパケット損失判断手段と、
前記パケット損失判断手段によりパケット損失が発生したと判断された分割パケットの送信元に対して再送要求を行う再送要求手段とを備える
ことを特徴とするＦＷＡ装置。
【請求項３】
請求項１または請求項２に記載のＦＷＡ装置において、
予め記憶された前記複数の伝送ルートを構成するパス毎の通信品質情報に基づいて、各伝送ルートへの分割パケットの割り当て配分を演算するパケット配分演算手段とを備え、
前記パケット分割手段は、前記パケット配分演算手段によって算出された割り当て配分に基づいて、前記誤り訂正符号化されたパケットを分割する
ことを特徴とするＦＷＡ装置。
【請求項４】
情報の送信元のＦＷＡ装置から情報の送信先のＦＷＡ装置まで複数の伝送ルートを有する固定無線アクセスシステムにおける情報伝送方法であって、
前記情報の送信元のＦＷＡ装置が、送信したい情報のパケットを作成するパケット作成ステップと、
前記情報の送信元のＦＷＡ装置が、前記作成されたパケットに誤り訂正符号を付加して誤り訂正符号化する誤り訂正符号化ステップと、
前記情報の送信元のＦＷＡ装置が、前記誤り訂正符号化されたパケットを分割するパケット分割ステップと、
前記情報の送信元のＦＷＡ装置が、前記分割された分割パケットを前記複数の伝送ルート上に送信するパケット送信ステップと、
前記情報の送信先のＦＷＡ装置が、複数の伝送ルートで送信された分割パケットを受信するパケット受信ステップと、
前記情報の送信先のＦＷＡ装置が、前記受信された分割パケットを組み立て、誤り訂正符号を用いて復号する復号ステップとを有する
ことを特徴とする情報伝送方法。
【請求項５】
請求項４に記載の情報伝送方法において、
前記情報の送信先のＦＷＡ装置が、前記復号ステップによる復号結果に基づいて、前記パケット受信ステップにより受信した分割パケットにパケット損失が発生したかを判断するパケット損失判断ステップと、
前記情報の送信先のＦＷＡ装置が、前記パケット損失判断ステップによりパケット損失が発生したと判断された分割パケットの送信元のＦＷＡ装置に対して再送要求を行う再送要求ステップとを有する
ことを特徴とする情報伝送方法。
【請求項６】
請求項４または請求項５に記載の情報伝送方法において、
前記情報の送信元のＦＷＡ装置が、予め記憶された前記複数の伝送ルートを構成するパス毎の通信品質情報に基づいて、各伝送ルートへの分割パケットの割り当て配分を演算するパケット配分演算ステップとを有し、
前記パケット分割ステップは、前記パケット配分演算ステップによって算出された割り当て配分に基づいて、前記誤り訂正符号化されたパケットを分割する
ことを特徴とする情報伝送方法。
【請求項７】
情報の送信元から送信先まで複数の伝送ルートを有する固定無線アクセスシステムにおけるＦＷＡ装置のコンピュータに実行させるためのプログラムであって、
前記コンピュータを、
送信したい情報のパケットを作成するパケット作成手段と、
前記パケット作成手段により作成されたパケットに誤り訂正符号を付加して誤り訂正符号化する誤り訂正符号化手段と、
前記誤り訂正符号化されたパケットを分割するパケット分割手段と、
前記パケット分割手段により分割された分割パケットを前記複数の伝送ルート上に送信するパケット送信手段と、
複数の伝送ルートで送信された分割パケットを受信するパケット受信手段と、
前記パケット受信手段により受信された分割パケットを組み立て、誤り訂正符号を用いて復号する復号手段として機能させるためのＦＷＡ装置用プログラム。
【請求項８】
請求項７に記載のＦＷＡ装置用プログラムにおいて、
前記コンピュータを、
前記復号手段による復号結果に基づいて、前記パケット受信手段が受信した分割パケットにパケット損失が発生したかを判断するパケット損失判断手段と、
前記パケット損失判断手段によりパケット損失が発生したと判断された分割パケットの送信元に対して再送要求を行う再送要求手段として機能させるためのＦＷＡ装置用プログラム。
【請求項９】
請求項７または請求項８に記載のＦＷＡ装置用プログラムにおいて、
前記コンピュータを、
予め記憶された前記複数の伝送ルートを構成するパス毎の通信品質情報に基づいて、各伝送ルートへの分割パケットの割り当て配分を演算するパケット配分演算手段として機能させるためのプログラムであって、
前記パケット分割手段は、前記パケット配分演算手段によって算出された割り当て配分に基づいて、前記誤り訂正符号化されたパケットを分割する
ことを特徴とするＦＷＡ装置用プログラム。
【請求項１０】
情報の送信元から送信先まで複数の伝送ルートを有する固定無線アクセスシステムにおけるＦＷＡ装置のコンピュータに実行させるためのプログラムを記録したコンピュータ読取可能な記録媒体であって、
前記コンピュータを、
送信したい情報のパケットを作成するパケット作成手段と、
前記パケット作成手段により作成されたパケットに誤り訂正符号を付加して誤り訂正符号化する誤り訂正符号化手段と、
前記誤り訂正符号化されたパケットを分割するパケット分割手段と、
前記パケット分割手段により分割された分割パケットを前記複数の伝送ルート上に送信するパケット送信手段と、
複数の伝送ルートで送信された分割パケットを受信するパケット受信手段と、
前記パケット受信手段により受信された分割パケットを組み立て、誤り訂正符号を用いて復号する復号手段として機能させるためのＦＷＡ装置用プログラムを記録した記録媒体。
【請求項１１】
請求項１０に記載のＦＷＡ装置用プログラムを記録した記録媒体において、
前記コンピュータを、
前記復号手段による復号結果に基づいて、前記パケット受信手段が受信した分割パケットにパケット損失が発生したかを判断するパケット損失判断手段と、
前記パケット損失判断手段によりパケット損失が発生したと判断された分割パケットの送信元に対して再送要求を行う再送要求手段として機能させるためのＦＷＡ装置用プログラムを記録した記録媒体。
【請求項１２】
請求項１０または請求項１１に記載のＦＷＡ装置用プログラムを記録した記録媒体において、
前記コンピュータを、
予め記憶された前記複数の伝送ルートを構成するパス毎の通信品質情報に基づいて、各伝送ルートへの分割パケットの割り当て配分を演算するパケット配分演算手段として機能させるためのプログラムであって、
前記パケット分割手段は、前記パケット配分演算手段によって算出された割り当て配分に基づいて、前記誤り訂正符号化されたパケットを分割する
ことを特徴とするＦＷＡ装置用プログラムを記録した記録媒体。
【発明の詳細な説明】
【技術分野】
【０００１】
本発明は、無線通信技術に関し、特に、メッシュ構成の固定無線アクセス方式（ＦＷＡ：Fixed Wireless Access ）において、情報の送信元の無線局によって選択された伝送ルートにおいてパケット損失が発生した場合にも、通信品質の低下を抑えることが可能なＦＷＡ装置、情報伝送方法、ＦＷＡ装置用プログラムおよびそのプログラムを記録した記録媒体に関する。
【背景技術】
【０００２】
近年、無線による加入者系データ通信サービスの一つであるＦＷＡに関する研究開発が盛んに行われるようになってきている。ＦＷＡでは、例えばビルなどの無線局に無線装置（ＦＷＡ装置）を設置して、他の無線局に設置されたＦＷＡ装置との間で無線通信を行う。
【０００３】
ここで、情報の送信元の無線局から情報の送信先の無線局への伝送ルートが複数存在する、メッシュ構成のＦＷＡが提唱されている。
【０００４】
このメッシュ構成のＦＷＡでは、降雨などによって、特定の無線局間における通信品質が低下したときに、情報の送信元の無線局が、その特定の無線局間のパスを迂回した伝送ルートで情報の送信先の無線局に情報を伝送することによって、通信品質の改善を図っている。
【０００５】
図８は、メッシュ構成のＦＷＡの一例を示す図である。図８に示すＦＷＡは、無線局ａ、無線局ｂ、無線局ｃ、無線局ｄ、無線局ｅによって構成される。各無線局は、互いに通信品質情報を随時通知して、各無線局間の通信品質情報を収集している。
【０００６】
無線局ａから無線局ｅに対して情報を伝送する際の場合、伝送ルートとして、無線局ａから送信された情報を無線局ｂが中継して無線局ｅに送信する伝送ルート（無線局ａ→無線局ｂ→無線局ｅ）や、無線局ａから送信された情報を無線局ｃが中継して無線局ｅに送信する伝送ルート（無線局ａ→無線局ｃ→無線局ｅ）など、複数の伝送ルートが存在する。
【０００７】
上記複数の伝送ルートのそれぞれは、各無線局間のパスの組み合わせから構成される。例えば、伝送ルート（無線局ａ→無線局ｃ→無線局ｅ）は、無線局ａと無線局ｃとの間のパス（無線局ａ→無線局ｃ）と無線局ｃと無線局ｅとの間のパス（無線局ｃ→無線局ｅ）とを組み合わせたものである。
【０００８】
ここで、無線局ａと無線局ｂとの間のパスにおいて、降雨などにより通信品質が低下すると、無線局ａは、随時収集し保持している各無線局間の通信品質情報に基づいて、例えば伝送ルート（無線局ａ→無線局ｃ→無線局ｅ）を選択する。そして、図８に示すように、送信したい情報を格納したパケットを、選択した伝送ルート（無線局ａ→無線局ｃ→無線局ｅ）で、無線局ｅ宛てに情報を伝送する。
【０００９】
なお、具体的な従来技術として、メッシュ構成のＦＷＡにおいて、トラフィック需要や各リンクの無線回線品質等の変動要因を随時測定した上で、各リンクへのチャネル割り当てと経路負荷配分の適応制御をする技術が、下記の非特許文献１に記載されている（非特許文献１参照）。
【非特許文献１】岸  洋司他、“適応ネットワーク制御機構をもつメッシュ型マルチホップ無線アクセスシステムの提案”、電子情報通信学会論文誌Ｂ，Ｖｏｌ．Ｊ８５−Ｂ，Ｎｏ．１２，２００２年１２月
【発明の開示】
【発明が解決しようとする課題】
【００１０】
しかし、上記従来技術は、情報の送信元の無線局が、送信したい情報をパケットにまとめて、送信先の無線局への複数の伝送ルートのうち、選択された１つの伝送ルートで送信していたため、選択された伝送ルートにおいて突発的に降雨があった場合などには、パケット損失が発生し、通信品質が低下するという問題がある。
【００１１】
また、上記従来技術では、各無線局は、互いに通信品質情報を随時通知する必要があるため、ＦＷＡ全体におけるトラフィック量が増大する。
【００１２】
本発明は、上記従来技術の問題点を解決し、メッシュ構成のＦＷＡにおいて、情報の送信元の無線局によって選択された伝送ルートにおいてパケット損失が発生した場合にも、通信品質の低下を抑えることが可能なＦＷＡ装置、情報伝送方法、ＦＷＡ装置用プログラムおよびそのプログラムを記録した記録媒体の提供を目的とする。
【課題を解決するための手段】
【００１３】
上記課題を解決するため、本発明は、無線局が備えるＦＷＡ装置において、送信したい情報をパケット化し、そのパケットに誤り訂正符号を付加して誤り訂正符号化する。そして、誤り訂正符号化されたパケットを分割し、分割パケットを情報の送信先の無線局までの複数の伝送ルートで伝送する。
【００１４】
図１は、ＦＷＡ装置によって作成・分割されるパケットを説明する図である。ＦＷＡ装置は、まず、図１（Ａ）に示すように、送信したい情報をパケット化する。次に、図１（Ｂ）に示すように、パケットに誤り訂正符号を付加して誤り訂正符号化する。そして、図１（Ｃ）に示すように、誤り訂正符号化されたパケットを分割する。最後に、図１（Ｄ）に示すように、分割パケットに、伝送ルート情報と、分割パケットに共通のＩＤ番号と、分割パケットの組み立て順序を示す組み立て順序番号を付加して、伝送ルート情報とＩＤ番号と組み立て順序番号が付加された各分割パケットをそれぞれの伝送ルートで送信する。
【００１５】
情報の送信先の無線局のＦＷＡ装置は、複数の伝送ルートで自装置宛てに送信された、ＩＤ番号が同じパケットを受信して、組み立て順序番号に従ってパケットを組み立てるとともに、誤り訂正符号を用いて、送信元の無線局が送信した正しい情報を復号する。情報の送信先の無線局のＦＷＡ装置は、復号した情報と複数の伝送ルートで自装置宛てに送信されたパケット内の情報とに基づいて、パケット損失が発生したかを判断する。
【００１６】
本発明によれば、複数の伝送ルートのうち、一部の伝送ルートにおいて突発的にパケット損失が生じた場合であっても、情報の送信先の無線局は、送信元の無線局が送信した正しい情報を得ることができる。また、本発明によれば、パケット損失がどの伝送ルートで発生したかを判断することができる。
【００１７】
すなわち、本発明は、情報の送信元から送信先まで複数の伝送ルートを有する固定無線アクセスシステムにおけるＦＷＡ装置であって、送信したい情報のパケットを作成するパケット作成手段と、前記パケット作成手段により作成されたパケットに誤り訂正符号を付加して誤り訂正符号化する誤り訂正符号化手段と、前記誤り訂正符号化されたパケットを分割するパケット分割手段と、前記パケット分割手段により分割された分割パケットを前記複数の伝送ルート上に送信するパケット送信手段と、複数の伝送ルートで送信された分割パケットを受信するパケット受信手段と、前記パケット受信手段により受信された分割パケットを組み立て、誤り訂正符号を用いて復号する復号手段とを備えることを特徴とするＦＷＡ装置である。
【００１８】
また、本発明は、前記のＦＷＡ装置において、前記復号手段による復号結果に基づいて、前記パケット受信手段が受信した分割パケットにパケット損失が発生したかを判断するパケット損失判断手段と、前記パケット損失判断手段によりパケット損失が発生したと判断された分割パケットの送信元に対して再送要求を行う再送要求手段とを備えることを特徴とするＦＷＡ装置である。
【００１９】
また、本発明は、前記のＦＷＡ装置において、予め記憶された前記複数の伝送ルートを構成するパス毎の通信品質情報に基づいて、各伝送ルートへの分割パケットの割り当て配分を演算するパケット配分演算手段とを備え、前記パケット分割手段は、前記パケット配分演算手段によって算出された割り当て配分に基づいて、前記誤り訂正符号化されたパケットを分割することを特徴とするＦＷＡ装置である。
【００２０】
また、本発明は、情報の送信元のＦＷＡ装置から情報の送信先のＦＷＡ装置まで複数の伝送ルートを有する固定無線アクセスシステムにおける情報伝送方法であって、前記情報の送信元のＦＷＡ装置が、送信したい情報のパケットを作成するパケット作成ステップと、前記情報の送信元のＦＷＡ装置が、前記作成されたパケットに誤り訂正符号を付加して誤り訂正符号化する誤り訂正符号化ステップと、前記情報の送信元のＦＷＡ装置が、前記誤り訂正符号化されたパケットを分割するパケット分割ステップと、前記情報の送信元のＦＷＡ装置が、前記分割された分割パケットを前記複数の伝送ルート上に送信するパケット送信ステップと、前記情報の送信先のＦＷＡ装置が、複数の伝送ルートで送信された分割パケットを受信するパケット受信ステップと、前記情報の送信先のＦＷＡ装置が、前記受信された分割パケットを組み立て、誤り訂正符号を用いて復号する復号ステップとを有することを特徴とする情報伝送方法である。
【００２１】
また、本発明は、前記の情報伝送方法において、前記情報の送信先のＦＷＡ装置が、前記復号ステップによる復号結果に基づいて、前記パケット受信ステップにより受信した分割パケットにパケット損失が発生したかを判断するパケット損失判断ステップと、前記情報の送信先のＦＷＡ装置が、前記パケット損失判断ステップによりパケット損失が発生したと判断された分割パケットの送信元のＦＷＡ装置に対して再送要求を行う再送要求ステップとを有することを特徴とする情報伝送方法である。
【００２２】
また、本発明は、前記の情報伝送方法において、前記情報の送信元のＦＷＡ装置が、予め記憶された前記複数の伝送ルートを構成するパス毎の通信品質情報に基づいて、各伝送ルートへの分割パケットの割り当て配分を演算するパケット配分演算ステップとを有し、前記パケット分割ステップは、前記パケット配分演算ステップによって算出された割り当て配分に基づいて、前記誤り訂正符号化されたパケットを分割することを特徴とする情報伝送方法である。
【００２３】
また、本発明は、情報の送信元から送信先まで複数の伝送ルートを有する固定無線アクセスシステムにおけるＦＷＡ装置のコンピュータに実行させるためのプログラムであって、前記コンピュータを、送信したい情報のパケットを作成するパケット作成手段と、前記パケット作成手段により作成されたパケットに誤り訂正符号を付加して誤り訂正符号化する誤り訂正符号化手段と、前記誤り訂正符号化されたパケットを分割するパケット分割手段と、前記パケット分割手段により分割された分割パケットを前記複数の伝送ルート上に送信するパケット送信手段と、複数の伝送ルートで送信された分割パケットを受信するパケット受信手段と、前記パケット受信手段により受信された分割パケットを組み立て、誤り訂正符号を用いて復号する復号手段として機能させるためのＦＷＡ装置用プログラムである。
【００２４】
また、本発明は、前記のＦＷＡ装置用プログラムにおいて、前記コンピュータを、前記復号手段による復号結果に基づいて、前記パケット受信手段が受信した分割パケットにパケット損失が発生したかを判断するパケット損失判断手段と、前記パケット損失判断手段によりパケット損失が発生したと判断された分割パケットの送信元に対して再送要求を行う再送要求手段として機能させるためのＦＷＡ装置用プログラムである。
【００２５】
また、本発明は、前記のＦＷＡ装置用プログラムにおいて、前記コンピュータを、予め記憶された前記複数の伝送ルートを構成するパス毎の通信品質情報に基づいて、各伝送ルートへの分割パケットの割り当て配分を演算するパケット配分演算手段として機能させるためのプログラムであって、前記パケット分割手段は、前記パケット配分演算手段によって算出された割り当て配分に基づいて、前記誤り訂正符号化されたパケットを分割することを特徴とするＦＷＡ装置用プログラムである。
【００２６】
また、本発明は、情報の送信元から送信先まで複数の伝送ルートを有する固定無線アクセスシステムにおけるＦＷＡ装置のコンピュータに実行させるためのプログラムを記録したコンピュータ読取可能な記録媒体であって、前記コンピュータを、送信したい情報のパケットを作成するパケット作成手段と、前記パケット作成手段により作成されたパケットに誤り訂正符号を付加して誤り訂正符号化する誤り訂正符号化手段と、前記誤り訂正符号化されたパケットを分割するパケット分割手段と、前記パケット分割手段により分割された分割パケットを前記複数の伝送ルート上に送信するパケット送信手段と、複数の伝送ルートで送信された分割パケットを受信するパケット受信手段と、前記パケット受信手段により受信された分割パケットを組み立て、誤り訂正符号を用いて復号する復号手段として機能させるためのＦＷＡ装置用プログラムを記録した記録媒体である。
【００２７】
また、本発明は、前記のＦＷＡ装置用プログラムを記録した記録媒体において、前記コンピュータを、前記復号手段による復号結果に基づいて、前記パケット受信手段が受信した分割パケットにパケット損失が発生したかを判断するパケット損失判断手段と、前記パケット損失判断手段によりパケット損失が発生したと判断された分割パケットの送信元に対して再送要求を行う再送要求手段として機能させるためのＦＷＡ装置用プログラムを記録した記録媒体である。
【００２８】
また、本発明は、前記のＦＷＡ装置用プログラムを記録した記録媒体において、前記コンピュータを、予め記憶された前記複数の伝送ルートを構成するパス毎の通信品質情報に基づいて、各伝送ルートへの分割パケットの割り当て配分を演算するパケット配分演算手段として機能させるためのプログラムであって、前記パケット分割手段は、前記パケット配分演算手段によって算出された割り当て配分に基づいて、前記誤り訂正符号化されたパケットを分割することを特徴とするＦＷＡ装置用プログラムを記録した記録媒体である。
【発明の効果】
【００２９】
本発明のＦＷＡ装置は、送信したい情報のパケットを誤り訂正符号化し、誤り訂正符号化されたパケットを分割して、分割した各パケットを複数の伝送ルートで送信する。そして、各パケットを受信したＦＷＡ装置は、誤り訂正符号を用いて、送信元のＦＷＡ装置が送信した正しい情報を復号する。
【００３０】
従って、本発明によれば、メッシュ構成のＦＷＡにおいて、情報の伝送ルートのいずれかにおいて、例えば突発的な降雨などによってパケット損失が発生した場合にも、通信品質の低下を抑えることができる。よって、本発明によれば、ＦＷＡ全体における通信品質を改善することが可能となる。
【００３１】
また、本発明によれば、特定のパスへのパケットの伝送の集中（輻輳）を回避することができる。
【００３２】
また、本発明によれば、伝送ルートの途中の無線局が故障し、特定のパスに通信障害が生じた場合に、通信障害が生じたパスを迂回してパケットを送信先まで伝送することができる。また、本発明は、情報を複数のパスに分散させて送信先まで伝送するため、伝送容量を増大させることができる。
【発明を実施するための最良の形態】
【００３３】
以下に図を用いて、本発明の実施の形態を説明する。図２は、本発明の実施の形態におけるメッシュ構成のＦＷＡの構成の一例である。図２に示すＦＷＡは、無線局Ａ、無線局Ｂ、無線局Ｃ、無線局Ｄ、無線局Ｅによって構成される。各無線局は、本発明に係るＦＷＡ装置を搭載している。本発明の実施の形態においては、例えば、無線局Ａは、送信したい情報を格納したパケットを誤り訂正符号化した上で分割し、図２に示すように、分割パケットを複数の伝送ルートで無線局Ｅに対して送信する。
【００３４】
図３は、本発明のＦＷＡ装置の構成の一例を示す図である。ＦＷＡ装置１において、パケット作成部１１は、送信したい情報のパケットを作成する。誤り訂正符号化部１２は、作成されたパケットに誤り訂正符号を付加して、パケットを誤り訂正符号化する。
【００３５】
伝送ルート選択部１３は、伝送ルートリストテーブル２５中に記憶された複数の伝送ルートのリストから、パスの重なりのない複数の伝送ルートを選択する。
【００３６】
伝送ルート選択部１３は、パスの重なりのない複数の伝送ルートを選択する際に、様々な手法を採ることができる。例えば、伝送ルート選択部１３は、パスの重なりのない複数の伝送ルートの組のうち、１つをランダムに選択したり、経由する無線局数が最も少ない伝送ルートの組を選択する。また、伝送ルート選択部１３は、例えば、ネットワークのトラフィック（通信量）の最も少ない伝送ルートの組を選択したり、パスの通信品質（ビット誤り率等）の最も良い伝送ルートの組を選択する。
【００３７】
パケット配分演算部１４は、無線リンク状態リストテーブル２４に記憶されている、各無線局間のパス毎の伝送レートや変調方式の情報に基づいて、伝送ルート選択部１３によって選択された各伝送ルートにどの配分でパケットを割り当てるかを演算する。例えば、伝送レートの高い伝送ルートに対しては、多くの量のパケットを割り当て、伝送レートの低い伝送ルートに対しては、少量のパケットを割り当てる。
【００３８】
パケット分割部１５は、パケット配分演算部１４によって算出されたパケットの割り当て配分に従って、誤り訂正符号化されたパケットを分割し、分割パケット毎に、分割パケットをどの伝送ルートで伝送するかを示す伝送ルート情報を付加する。
【００３９】
ＩＤ番号・組み立て順序番号付加部１６は、パケット分割部１５によって分割されるパケットに共通のＩＤ番号と、分割パケットの組み立て順序を示す番号である組み立て順序番号とを、分割パケット毎に付加する。
【００４０】
そして、パケット分割部１５は、パケットの変調・復調処理を行う変調・復調処理部１７に対して分割パケットを送信する。
【００４１】
変調・復調処理部１７に送信された分割パケットは、ＦＷＡ装置１がパケットを直接送受信する無線局に対応して設けられた複数の変調・復調手段１７０に分配される。
【００４２】
例えば、ＦＷＡ装置１が図２に示す無線局Ａ内のＦＷＡ装置である場合、「無線局Ａ→無線局Ｂ→無線局Ｅ」という伝送ルート情報が付加された分割パケットは、無線局Ｂに対応して設けられた変調・復調手段１７０に分配される。
【００４３】
各変調・復調手段１７０は、分配された分割パケットを変調する。また、変調・復調手段１７０は、アンテナ１８によって受信されたパケット情報を復調する。
【００４４】
アンテナ１８も、変調・復調手段１７０と同様に、ＦＷＡ装置１がパケットを直接送受信する無線局に対応して設けられている。例えば、ＦＷＡ装置１が図２に示す無線局Ａ内のＦＷＡ装置の場合、図３に示す各アンテナ１８は、それぞれ、無線局Ｂとの送受信用、無線局Ｃとの送受信用、無線局Ｄとの送受信用に設けられている。
【００４５】
アンテナ１８は、変調・復調手段１７０によって変調されたパケット情報を、対応する無線局に対して送信する。また、アンテナ１８は、対応する無線局からパケット情報を受信する。
【００４６】
伝送ルート情報解析部１９は、変調・復調処理部１７から受信したパケット情報中の伝送ルート情報を解析し、ＦＷＡ装置１がそのパケットの最終の送信先か否かを判断する。
【００４７】
復号部２０は、ＦＷＡ装置１が、受信したパケットの最終の送信先である場合、受信した分割パケットのうち、ＩＤ番号が同じパケットを、付加されている組み立て順序番号に基づいて組み立てる。そして、復号部２０は、組み立てられたパケットを誤り訂正符号を用いて復号する。パケット損失判断部２１は、復号部２０によって復号された情報と変調・復調処理部１７から受信したパケット情報とに基づいて、パケット損失が発生したかを判断する。
【００４８】
再送要求部２２は、パケット損失が発生した場合に、パケットの送信元の無線局に対してパケットの再送を要求する。
【００４９】
パケット転送制御部２３は、ＦＷＡ装置１が、受信したパケットの最終の送信先でない場合、そのパケットに付加されている伝送ルート情報に基づいて、パケットの転送制御処理を行う。例えば、ＦＷＡ装置１が図２に示す無線局Ｂ内のＦＷＡ装置であって、受信されたパケットに付加されている伝送ルート情報が「無線局Ａ→無線局Ｂ→無線局Ｅ」である場合、パケット転送制御部２３は、そのパケットを無線局Ｅに対して転送する制御処理を行う。
【００５０】
無線リンク状態リストテーブル２４には、各無線局間のパス毎の伝送レートや変調方式の情報が記憶されている。伝送ルートリストテーブル２５には、ＦＷＡ装置１から送信されるパケットの複数の伝送ルートの情報が記憶されている。
【００５１】
図４は、伝送ルートリストテーブルに記憶された伝送ルートリストの一例を示す図である。例えば、ＦＷＡ装置１が図２に示す無線局Ａ内のＦＷＡ装置であるとすると、伝送ルートリストテーブル２５には、図４に示すように、無線局Ａから無線局Ｅへ情報を伝送する場合の伝送ルート（図４の例では９種類）と、伝送ルートを識別する伝送ルート番号とが記憶されている。
【００５２】
図５は、無線リンク状態リストテーブルのデータ構成の一例を示す図である。図５に示す例では、無線リンク状態リストテーブル２４には、各無線局間のパス毎に、シンボル（時間単位）当たりの伝送レートと、パケット情報の変調方式の情報が記憶されている。
【００５３】
例えば、無線局Ａと無線局Ｂとの間のパス（無線局Ａ→無線局Ｂ）における変調方式はＱＰＳＫ（Quadrature Phase Shift Keying ）であって、伝送レートは２ｂｉｔ／ｓｙｍである。また、無線局Ａと無線局Ｃとの間のパス（無線局Ａ→無線局Ｃ）における変調方式は１６ＱＡＭ（Quadrature Amplitude Modulation ）であって、伝送レートは４ｂｉｔ／ｓｙｍである。
【００５４】
図６は、本発明のＦＷＡ装置がパケットの送信元である場合の動作処理フローの一例を示す図である。ＦＷＡ装置１は、送信したい情報のパケットを作成し（ステップＳ１）、作成したパケットに誤り訂正符号を付加して、パケットを誤り訂正符号化する（ステップＳ２）。ＦＷＡ装置１は、伝送ルートリストテーブル２５中に記憶された複数の伝送ルートのリストから、パスの重なりのない複数の伝送ルートを選択する（ステップＳ３）。
【００５５】
次に、ＦＷＡ装置１は、無線リンク状態リストテーブル２４中の各無線局間のパス毎の伝送レートや変調方式の情報に基づいて、選択された伝送ルートにどの配分でパケットを割り当てるかを演算する（ステップＳ４）。
【００５６】
次に、ＦＷＡ装置１は、算出されたパケットの割り当て配分に従って、誤り訂正符号化されたパケットを分割し（ステップＳ５）、分割パケット毎に、分割パケットの伝送ルート情報と、分割パケットに共通のＩＤ番号と、組み立て順序番号とを付加する（ステップＳ６）。そして、ＦＷＡ装置１は、分割パケットを変調し、各分割パケットに付加された伝送ルート情報に基づいて、それぞれの伝送ルート上に送信する（ステップＳ７）。
【００５７】
図７は、本発明のＦＷＡ装置が分割パケットを受信した場合の動作処理フローの一例を示す図である。ＦＷＡ装置１は、分割パケットを受信すると（ステップＳ１１）、分割パケットに付加されている伝送ルート情報を解析する（ステップＳ１２）。次に、ＦＷＡ装置１は、自装置が、受信した分割パケットの最終の送信先であるか否かを判断する（ステップＳ１３）。ＦＷＡ装置１は、自装置が、受信した分割パケットの最終の送信先であると判断した場合は、受信した分割パケットのうち、ＩＤ番号が同じ分割パケットを組み立て順序番号に基づいて組み立て、誤り訂正符号を用いて復号する（ステップＳ１４）。
【００５８】
ステップＳ１４の復号処理により、送信元の無線局から送信された正しい情報が得られる。
【００５９】
そして、ＦＷＡ装置１は、復号された情報と受信した分割パケット情報とに基づいて、パケット損失が発生したかを判断し（ステップＳ１５）、パケット損失が発生した場合は、分割パケットの送信元の無線局に対して分割パケットの再送を要求する（ステップＳ１６）。
【００６０】
ＦＷＡ装置１は、自装置が、受信した分割パケットの最終の送信先でない場合、その分割パケットに付加されている伝送ルート情報に基づいて、分割パケットの転送制御処理を行う（ステップＳ１７）。
【図面の簡単な説明】
【００６１】
【図１】ＦＷＡ装置によって作成・分割されるパケットを説明する図である。
【図２】本発明の実施の形態におけるメッシュ構成のＦＷＡの構成の一例である。
【図３】ＦＷＡ装置の構成の一例を示す図である。
【図４】伝送ルートリストテーブルに記憶された伝送ルートリストの一例を示す図である。
【図５】無線リンク状態リストテーブルのデータ構成の一例を示す図である。
【図６】ＦＷＡ装置がパケットの送信元である場合の動作処理フローの一例を示す図である。
【図７】ＦＷＡ装置が分割パケットを受信した場合の動作処理フローの一例を示す図である。
【図８】メッシュ構成のＦＷＡの一例を示す図である。
【符号の説明】
【００６２】
１  ＦＷＡ装置
１１  パケット作成部
１２  誤り訂正符号化部
１３  伝送ルート選択部
１４  パケット配分演算部
１５  パケット分割部
１６  ＩＤ番号・組み立て順序番号付加部
１７  変調・復調処理部
１７０  変調・復調手段
１８  アンテナ
１９  伝送ルート情報解析部
２０  復号部
２１  パケット損失判断部
２２  再送要求部
２３  パケット転送制御部
２４  無線リンク状態リストテーブル
２５  伝送ルートリストテーブル
Ａ、Ｂ、Ｃ、Ｄ、Ｅ、ａ、ｂ、ｃ、ｄ、ｅ  無線局
【図１】
2006238144.tif 000003
【図２】
2006238144.tif 000004
【図３】
2006238144.tif 000005
【図４】
2006238144.tif 000006
【図５】
2006238144.tif 000007
【図６】
2006238144.tif 000008
【図７】
2006238144.tif 000009
【図８】
2006238144.tif 000010